(57)【要約】  シガレットパック１は、箱本体２と、アルミニウム層を備え、箱本体２の内側に配置される内部包装体１５と、ヒンジ９によって箱本体に連結され、箱本体の上端部を開閉することができる蓋８であって、開口下端部１０と、前壁１１と、後壁１２と、一対の側壁１８と、外側１３及び内側１４を有する頂壁１３、１４とを有し、蓋が閉位置にあるとき、内側１４が、開口上端部３及び内部包装体１５に対向する、蓋８と、ＲＦＩＤ／ＮＦＣタグ１６と、内側に配置されたディスタンス層２０とを備え、ＲＦＩＤ／ＮＦＣタグは、ディスタンス層に配置される。ディスタンス層は、ＲＦＩＤ／ＮＦＣタグを包装材に接近させる。
2020508261.tif 000002
【特許請求の範囲】
【請求項１】
開口上端部（３）と、前壁（４）と、後壁（５）と、一対の側壁（６）と、底壁（７）とを有する、箱本体（２）と、
アルミニウム層を備え、前記箱本体（２）の内側に配置される内部包装体（１５）であって、シガレットの束の周りを包むのに適する内部包装体（１５）と、
ヒンジ（９）によって前記箱本体に連結され、前記箱本体の前記上端部を開閉することができる蓋（８）であって、開口下端部（１０）と、前壁（１１）と、後壁（１２）と、一対の側壁（１８）と、外側（１３）及び内側（１４）を有する頂壁（１３、１４）とを有し、前記蓋が閉位置にあるとき、前記内側（１４）が、前記開口上端部（３）及び前記内部包装体（１５）に対向する、蓋（８）と、
ＲＦＩＤ／ＮＦＣタグ（１６）と
を備えるシガレットパック（１）において、
前記シガレットパックが、前記頂壁（１３、１４）の前記内側（１４）に配置されたディスタンス層（２０）を更に備え、前記ディスタンス層（２０）が、前記閉位置において前記ＲＦＩＤ／ＮＦＣタグを前記包装材（１５）に接近させるように、前記ＲＦＩＤ／ＮＦＣタグが、前記ディスタンス層（２０）に配置されることを特徴とする、シガレットパック（１）。
【請求項２】
前記ディスタンス層（２０）が、前記ＲＦＩＤ／ＮＦＣタグのアンテナを妨害しない材料から作製されることを特徴とする、請求項１に記載のシガレットパック。
【請求項３】
前記ディスタンス層（２０）が、板紙又は段ボールから作製されることを特徴とする、請求項１又は２に記載のシガレットパック。
【請求項４】
前記ディスタンス層（２０）が、少なくとも１ｍｍの厚さを有することを特徴とする、請求項１から３までのいずれか一項に記載のシガレットパック。
【請求項５】
前記ディスタンス層（２０）が、１から５ｍｍの範囲の厚さを有することを特徴とする、請求項１から３までのいずれか一項に記載のシガレットパック。
【請求項６】
前記蓋が閉位置にあるとき、前記ＲＦＩＤ／ＮＦＣタグの前記アンテナが、前記アルミニウム層によって妨害されることを特徴とする、請求項１から５までのいずれか一項に記載のシガレットパック。
【請求項７】
前記ＲＦＩＤ／ＮＦＣタグは、前記閉位置ではＮＦＣ搭載装置と関わりを持てないことを特徴とする、請求項１から６までのいずれか一項に記載のシガレットパック。
【請求項８】
前記蓋が開位置にあるとき、前記ＲＦＩＤ／ＮＦＣタグの前記アンテナが、前記アルミニウム層によって妨害されないことを特徴とする、請求項１から７までのいずれか一項に記載のシガレットパック。
【請求項９】
前記ＲＦＩＤ／ＮＦＣタグは、前記開位置ではＮＦＣ搭載装置と関わりを持つことができることを特徴とする、請求項１から８までのいずれか一項に記載のシガレットパック。
【発明の詳細な説明】
【技術分野】
【０００１】
本発明は、開口上端部と、前壁と、後壁と、一対の側壁と、底壁とを有する、箱本体と、アルミニウム層を備え、箱本体の内側に配置される内部包装体であって、シガレットの束の周りを包むのに適する内部包装体と、ヒンジによって箱本体に連結され、箱本体の上端部を開閉することができる蓋であって、開口下端部と、前壁と、後壁と、一対の側壁と、外側及び内側を有する頂壁とを有し、蓋が閉位置にあるとき、内側が、開口上端部及び内部包装体に対向する、蓋と、ＲＦＩＤ／ＮＦＣタグとを備えるシガレットパックに関する。
【０００２】
以下、ＲＦＩＤ／ＮＦＣタグという用語が頻繁に使用される。本明細書中、この用語は、ＮＦＣ（Ｎｅａｒ  Ｆｉｅｌｄ  Ｃｏｍｍｕｎｉｃａｔｉｏｎ：近距離無線通信）タグ、又はＲＦＩＤ（Ｒａｄｉｏ  Ｆｒｅｑｕｅｎｃｙ  Ｉｄｅｎｔｉｆｉｃａｔｉｏｎ：無線周波数識別）タグのいずれかに関する。
【背景技術】
【０００３】
タバコ製造者は、販売促進コンテンツ及びブランデッド・コンテンツを、シガレットパッケージに印刷することが禁じられている、又は、禁じられるようになるという世界的動向がある。ブランドイメージは、タバコ事業にとって非常に重要な観点であるため、このことは当然、製造者及び販売者にとって問題である。この課題を解決する方法は、シガレットパッケージにＲＦＩＤ／ＮＦＣタグを具備させることである。ＲＦＩＤ／ＮＦＣタグは、例えばスマートフォンなどのようなＮＦＣ搭載装置を介して顧客と関わりを持つ（ｅｎｇａｇｅ）ことができる。
【０００４】
しかしながら、これに関する技術的な問題は、多くのシガレットパックが、アルミニウム層を有する紙を保護内材として使用することである。この内材は、シガレットを包み、湿気、熱、冷気、及び他の外部衝撃からシガレットを保護するために使用される。ＲＦＩＤ／ＮＦＣタグは、金属基板に接近して、又は、金属基板に取り付けられると通常は満足に機能しないため、アルミニウム層は、このようなタグが適切に機能することを妨げる。
【０００５】
このような問題に対する典型的な解決法は、トランスポンダアンテナ導体とアルミニウム層との間の層として、付加的なフェライト層をＲＦＩＤ／ＮＦＣ構成に追加することである。このような解決法は一般的に利用可能であり、周知されている。しかしながら、シガレットパックに適用される場合、このような解決法には、いくつかの問題がある。初めに、フェライトは高価な材料であるため、このような高価な材料をシガレットパックなどの低コストな物品に使用することは正当化できない。更に、適切に機能するためにフェライト層を比較的厚いものとする必要があり、タグも比較的厚くなってしまう。最後に、シガレットパックの側壁の厚いＲＦＩＤ／ＮＦＣタグは、シガレットの梱包工程においてジャムを発生させる恐れがある。
【０００６】
更に、一定の年齢制限以下の人々に対するシガレットの広告を禁止している国もある。法定年齢以下の消費者が自由に店舗に入ることができ、シガレットパックの販売促進コンテンツに接する可能性があることが、ＲＦＩＤ／ＮＦＣタグによる広告の問題である。従って、シガレットパックの販売促進コンテンツが店舗で購入するまで読み取れないことは、タグを付けることによる解決法にとって有利である。
【発明の概要】
【発明が解決しようとする課題】
【０００７】
本発明の目的は、シガレットパッケージにおけるＲＦＩＤ／ＮＦＣタグに関する上述の問題を解決する、シガレットパックを提供することである。
【課題を解決するための手段】
【０００８】
本発明によるシガレットパックは、頂壁の内側に配置されたディスタンス層を更に備え、ディスタンス層が、閉位置においてＲＦＩＤ／ＮＦＣタグを包装材に接近させるように、ＲＦＩＤ／ＮＦＣタグが、ディスタンス層に配置されることを特徴とする。
【発明を実施するための形態】
【０００９】
以下、図１を参照し、本発明がより詳細に記載される。
【００１０】
図１は、本発明によるシガレットパック１を開示する。シガレットパック１は、開口上端部３と、前壁４と、後壁５と、一対の側壁６と、底壁７とを有する、箱本体２を備える。
【００１１】
シガレットパック１は、アルミニウム層を有する内部包装体１５を更に備え、この内部包装体１５は、箱本体の内側に配置され、シガレットの束の周りを包むのに適する。
【００１２】
更に、シガレットパックは、蓋８を備える。蓋８は、ヒンジ９によって箱本体２に連結され、箱本体２の上端部３を開閉することができる。蓋８は、開口下端部１０と、前壁１１と、後壁１２と、一対の側壁１８と、頂壁１３、１４とを有する。頂壁は、外側１３と、内側１４とを有し、シガレット箱が閉位置にあるとき、内側１４は、上端部３及び内部包装１５の頂部部分に対向する。蓋８の後壁１２は、ヒンジ９を介してシガレット箱２の後壁５に連結される。
【００１３】
図１は、開位置にある蓋を開示する。蓋が閉位置にあるとき、内側１４は、内部包装１５の頂部に対向する。
【００１４】
シガレットパック１は、ＲＦＩＤ／ＮＦＣタグ１６を更に備える。ＲＦＩＤ／ＮＦＣタグ１６は、頂壁１３、１４の内側１４に配置される。ＲＦＩＤ／ＮＦＣタグ１６は、例えばスマートフォンなどのＮＦＣ搭載装置と相互作用することができるように配置される。蓋が閉じられているとき、ＲＦＩＤ／ＮＦＣタグ１６は、内部包装１５の上方部分又は頂部に対向する。
【００１５】
本発明によれば、ＲＦＩＤ／ＮＦＣトランスポンダコイルが、内部包装１５の頂部を押圧する、又は内部包装１５の頂部に極めて接近するように、厚いディスタンス層２０が、蓋の内側１４とＲＦＩＤ／ＮＦＣタグとの間に配置される。これにより、アルミニウム箔が近接していると、ＲＦＩＤ／ＮＦＣタグの機能性が妨げられるので、閉位置ではＲＦＩＤ／ＮＦＣタグが適切に機能しないことを確保する。ディスタンス層２０は、好ましくは約１から５ｍｍの厚さを有する。ディスタンス層２０は、ＲＦＩＤ／ＮＦＣアンテナを妨害しない任意の材料とすることができる。適するディスタンス層の材料は、プラスチック又は繊維系材料である。好ましい層の材料は、段ボール又は板紙である。
【００１６】
シガレットパックが閉じられているとき、即ち、ＲＦＩＤ／ＮＦＣタグが内部包装の上方部分に対向しているとき、アンテナは、内部包装のアルミニウムによって妨害される。これにより、シガレットパックが閉じられているとき、即ち、蓋が閉位置にあるとき、アンテナは適切に動作しない。これは、シガレットパックが購入用に店舗に置かれているとき、タグが、例えばスマートフォンなどのようなＮＦＣ搭載装置を介して人と関わりを持つことができないことを意味する。
【００１７】
しかしながら、シガレットパックが開けられた後、即ち、蓋が図１のような開位置にあるとき、アンテナは、アルミニウム層と接しておらず、顧客は、ＮＦＣ搭載装置を介してＮＦＣ／ＲＦＩＤタグに関わりを持つことができる。これは、店舗でシガレットパックが閉じられている限り、シガレットの購入年齢制限以下の人々が、ＲＦＩＤ／ＮＦＣタグ上のマテリアルと関わりを持つことができないことを意味する。これにより、ＲＦＩＤ／ＮＦＣタグ上のマテリアルは、購入後にのみ入手可能となる。
【００１８】
本発明による大きな利点は、蓋内のＲＦＩＤ／ＮＦＣタグの位置が、シガレットの梱包工程においていかなるジャムも発生させないことである。
【００１９】
これまで、本発明をいくつかの特定の実施例に基づき記載した。しかしながら、以下の特許請求の範囲の範囲内で、他の実施例及び変形例が考えられることを理解されたい。
【図１】
2020508261.tif 000003
【国際調査報告】
2020508261.tif 000004
2020508261.tif 000005